(57)【要約】【課題】本発明は貯水している水を気化させる加湿機に関するもので、冷風感の低減に伴なう、加湿量の低下を抑制することを目的とするものである。【解決手段】そしてこの目的を達成するために本発明は、吸気口２と吹出口１とを有する本体ケース３と、この本体ケース３内で、吸気口２から吹出口１に送風される送風路４に送風手段５と加湿手段１１とを設け、吹出口１に冷風感調整手段１５を設け、この冷風感調整手段１５は、第１の冷風感と第２の冷風感とに調整可能な構成とし、第１の冷風感は、第１の風速で第１の加湿量を有し、第２の冷風感は、第２の風速で第２の加湿量を有し、第２の風速は第１の風速より遅く、第２の加湿量は第１の加湿量より大きいことを特徴とする。【選択図】図３
2013036690.tif 000002
【特許請求の範囲】
【請求項１】
吸気口と吹出口とを有する本体ケースと、この本体ケース内で、前記吸気口から前記吹出口に送風される送風路に送風手段と加湿手段とを設け、前記吹出口には、風向を変更する風向変更手段を備え、この風向変更手段には冷風感調整手段を設け、この冷風感調整手段は、第１の冷風感と第２の冷風感とに調整可能な構成とし、前記第１の冷風感は、第１の風速で第１の加湿量を有し、前記第２の冷風感は、第２の風速で第２の加湿量を有し、前記第２の風速は前記第１の風速より遅く、前記第２の加湿量は前記第１の加湿量より大きいことを特徴とする加湿機。
【請求項２】
前記冷風感調整手段は、送風範囲を変化させることを特徴とする請求項１に記載の加湿機。
【請求項３】
前記冷風感調整手段は、筒形状の筒部で、空気の流れにおける下流側の開口面積が、上流側の開口面積より小さく、前記風向変更手段に着脱可能であることを特徴とする請求項２に記載の加湿機。
【請求項４】
前記冷風感調整手段を装着することによって吹き出される、空気の流れに対する垂直断面形状は、横長四角形状であると共に、空気の流れにおける上流側から下流側への開口寸法の減少割合は、垂直方向の開口寸法の減少割合が、水平方向の開口寸法の減少割合に比べて大きいことを特徴とする請求項３に記載の加湿機。
【発明の詳細な説明】
【技術分野】
【０００１】
本発明は、パーソナル空間を加湿する加湿機に関する。
【背景技術】
【０００２】
従来のこの種の加湿機の構成は以下のようになっていた。
【０００３】
すなわち、吸気口と排気口とを有する本体ケースと、この本体ケース内で、前記吸気口から前記排気口に送風される送風路に送風手段と加湿手段とを設けた構成となっていた（例えば、これに類似する先行文献は下記特許文献１に記載されている）。
【先行技術文献】
【特許文献】
【０００４】
【特許文献１】特開昭６２−１７２１４５号公報
【発明の概要】
【発明が解決しようとする課題】
【０００５】
上記従来例における課題は、パーソナル空間を加湿する加湿機において、冷風感を低減すると、加湿量も低下することであった。
【０００６】
パーソナル空間を加湿する場合には、人の近くで加湿し、人に対して直接加湿空気が当たる為、特に冬季は、室内の気温によっては冷風感を感じ易いものであった。従来の物は、冷風感を抑制するには、ノッチを下げ、加湿風量を低下させ、風速が低下することにより、冷風感を低減できるものであった。しかし、加湿風量が低下するので、加湿量も低下するものであった。
【０００７】
そこで、本発明は、冷風感の低減に伴なう、加湿量の低下を抑制することを目的とするものである。
【課題を解決するための手段】
【０００８】
そしてこの目的を達成するために本発明は、吸気口と吹出口とを有する本体ケースと、この本体ケース内で、前記吸気口から前記吹出口に送風される送風路に送風手段と加湿手段とを設け、前記吹出口には、風向を変更する風向変更手段を備え、この風向変更手段には冷風感調整手段を設け、この冷風感調整手段は、第１の冷風感と第２の冷風感とに調整可能な構成とし、前記第１の冷風感は、第１の風速で第１の加湿量を有し、前記第２の冷風感は、第２の風速で第２の加湿量を有し、前記第２の風速は前記第１の風速より遅く、前記第２の加湿量は前記第１の加湿量より大きいことを特徴とするものである。
【０００９】
これにより、初期の目的を達成するものである。
【発明の効果】
【００１０】
以上のように本発明は、吸気口と吹出口とを有する本体ケースと、この本体ケース内で、前記吸気口から前記吹出口に送風される送風路に送風手段と加湿手段とを設け、前記吹出口には、風向を変更する風向変更手段を備え、この風向変更手段には冷風感調整手段を設け、この冷風感調整手段は、第１の冷風感と第２の冷風感とに調整可能な構成とし、前記第１の冷風感は、第１の風速で第１の加湿量を有し、前記第２の冷風感は、第２の風速で第２の加湿量を有し、前記第２の風速は前記第１の風速より遅く、前記第２の加湿量は前記第１の加湿量より大きいものである。
【００１１】
すなわち、第１の冷風感で冷風感を感じた場合には、冷風感調整手段によって、第２の冷風感に切り替えることにより、第２の風速は第１の風速より遅く、第２の加湿量は第１の加湿量より大きくなる。つまり、加湿空気の風速が低減するので冷風感は低減すると共に、加湿風量が増加するので、加湿量の低下を抑制することができるものである。
【図面の簡単な説明】
【００１２】
【図１】本発明の実施の形態１の加湿機の概略図
【図２】同加湿機を示す概略図
【図３】同加湿機の概略断面を示す図
【図４】同加湿機を示す概略図
【図５】同加湿機の冷風感調整手段を示す概略図
【発明を実施するための形態】
【００１３】
（実施の形態１）
本発明の実施の形態１の加湿機は、図１と図３に示すように、略円筒状の本体ケース３の天面には、吹出口１を設け、本体ケース３の後部側面の下部には、吸気口２を設けている。この本体ケース３内で、吸気口２から吹出口１に送風される送風路４に送風手段５を備えている。
【００１４】
吹出口１には、図２と図３に示すように、仰角方向に回動自在な風向変更手段１９を設けている。この風向変更手段１９は、略平板状の第１の水平板２０と、第１の水平板２０の下方に間隔をおいて配設した略平板状の第２の水平板２１と、第１の水平板２０の後部から下方へ向けて形成した背面板２２と、第１の水平板２０と第２の水平板２１を連結する複数枚の連結板２３とから形成されている。
【００１５】
第１の水平板２０の面積は、第２の水平板２１の面積より大きく、第１の水平板２０と第２の水平板２１とは、ほぼ平行に位置するものである。第２の水平板２１は、第１の水平板２０の下方で、第１の水平板２０の先端寄り、つまり本体ケース３における前面側に位置するものである。
【００１６】
複数枚の連結板２３のなかで、第２の水平板２１の両端部に位置する連結板２３には、これらの連結板２３の外面から外方水平方向に伸びた軸部２４を備えている。
【００１７】
これらの軸部２４を介して、風向変更手段１９が、吹出口１に仰角方向に回動自在に装着されている。
【００１８】
送風手段５は、スクロール形状のケーシング６と、このケーシング６内に設けられた電動機７と、この電動機７によって回転するシロッコファン８とから形成している。ケーシング６の側面には吸込口９を備え、ケーシング６の天面には吐出口１０を有している。このケーシング６の吸込口９と本体ケース３の吸気口２との間に加湿手段１１を設けている。
【００１９】
加湿手段１１は、本体ケース３内の下部に配設されており、上面を開口し、一定水位の水を貯水する貯水容器１２と、貯水容器１２内に上面の開口から挿入して下部が浸漬された加湿フィルター１３とからなる。貯水容器１２には一定量の水が給水タンク１４によって供給される。
【００２０】
送風手段５によって、吸気口２から吸い込まれた室内の空気が、加湿手段１１の加湿フィルター１３を通過し、空気が加湿される。この加湿された空気が、送風手段５、吹出口１、風向変更手段１９を介して、室内へ送風されることにより室内が加湿される。ここで、パーソナル空間を加湿する場合には、人の近くで空気を加湿し、この加湿した空気を人に対して直接送風するものである。一例としては、机の上に加湿機を置き、座っている人の顔に向けて直接加湿空気を送風するものである。
【００２１】
本実施形態における特徴は、吹出口１の風向変更手段１９に冷風感調整手段１５を設けた点である。この冷風感調整手段１５は、第１の冷風感と第２の冷風感とに調整可能なものである。この第１の冷風感は、第１の風速で第１の加湿量を有し、第２の冷風感は、第２の風速で第２の加湿量を有するものである。ここで、第２の風速は第１の風速より遅く、第２の加湿量は第１の加湿量より大きいものである。
【００２２】
すなわち、パーソナル空間を加湿する場合には、人の近くで加湿し、人に対して直接加湿空気を送風するので、第１の冷風感で冷風感を感じた場合には、冷風感調整手段１５によって、第２の冷風感に切り替えることにより、第２の風速は第１の風速より遅く、第２の加湿量は第１の加湿量より大きくなる。つまり、加湿空気の風速が低減するので冷風感は低減すると共に、加湿風量が増加するので、加湿量の低下を抑制することができるものである。
【００２３】
冷風感調整手段１５は、送風範囲を変化させることができるものである。具体的には、図３から５に示すように、冷風感調整手段１５は、四角筒形状の筒部１６と、この筒部１６の一方側の第１の開口部１７と、筒部１６の他方側の第２の開口部１８を有するもので、吹出口１に着脱可能である。ここで、一方側の第１の開口部１７の開口面積が、他方側の第２の開口部１８の開口面積より小さいものである。すなわち、四角筒形状の筒部１６の上面部２５および下面部２６は、風向変更手段１９の第１の水平板２０と第２の水平板２１とは、ほぼ平行から内方に傾斜し、四角筒形状の筒部１６の左面部２７および右面部２８は、風向変更手段１９の連結板２３とは、ほぼ平行から内方に傾斜しているものである。つまり、空気の流れにおける下流側である第１の開口部１７の開口面積が、上流側である第２の開口部１８の開口面積より小さいものであり、上流側である第２の開口部１８の開口面積が次第に小さくなり、下流側である第１の開口部１７の開口面積になるものである。これにより、筒部１６の中心軸方向に集まるように吹き出すものである。この筒部１６の上流側である第２の開口部１８が、風向変更手段１９を介して吹出口１に着脱可能である。
【００２４】
すなわち、筒部１６を吹出口１に装着し運転すると、吹出口１から上方へ吹き出された加湿空気は、風向変更手段１９である第１の水平板２０と第２の水平板２１の下面に沿いながら流れるので、本体ケース３における前面側に風向が変化する。そして、筒部１６を通過することにより、上流側である第２の開口部１８の開口面積が次第に小さくなり、下流側である第１の開口部１７の開口面積になるので、筒部１６の中心軸方向に集まるように吹き出すものである。これにより、筒部１６の第１の開口部１７から吹き出される送風範囲は、後述する吹出口１から吹き出される送風範囲より小さくなる。この状態で、吹き出される加湿空気は、第１の風速で第１の加湿量を有するものである。
【００２５】
ここで、第１の冷風感で冷風感を感じた場合には、筒部１６を吹出口１の風向変更手段１９から外して使用する。ここで、四角筒形状の筒部１６の上面部２５および下面部２６は、風向変更手段１９の第１の水平板２０と第２の水平板２１とは、ほぼ平行から内方に傾斜し、四角筒形状の筒部１６の左面部２７および右面部２８は、風向変更手段１９の連結板２３と、ほぼ平行から内方に傾斜していたので、吹出口１の風向変更手段１９からは、冷風感調整手段１５である筒部１６を装着時とほぼ同方向へ吹き出されるが、筒部１６を通過し第１の開口部１７から吹き出される送風範囲より、風向変更手段１９から吹き出される送風範囲は大きくなり、この状態で、吹き出される加湿空気は、第２の風速で第２の加湿量を有するものである。つまり、風向変更手段１９の開口面積が、第１の開口部１７の開口面積より大きく、広がりながら吹き出されるので、第２の風速は第１の風速より遅くなる。一方、吹出口１から筒部１６を外すことにより、送風抵抗が低減し、加湿風量が増えるので、第２の加湿量は第１の加湿量より大きくなる。結果として、吹出口１から筒部１６を外すことにより、加湿空気の風速が低減するので冷風感は低減すると共に、加湿風量が増加するので、加湿量の低下を抑制することができるものである。
【００２６】
また、筒部１６の下流側である第１の開口部１７の水平方向の開口寸法は、上流側である第２の開口部１８の水平方向の開口寸法より小さいものである。一方、筒部１６の下流側である第１の開口部１７の垂直方向の開口寸法は、上流側である第２の開口部１８の垂直方向の開口寸法より小さいものであり、上流側である第２の開口部１８の開口面積が次第に小さくなり、下流側である第１の開口部１７の開口面積になるものである。これにより、筒部１６の下流側である第１の開口部１７から吹き出す加湿空気は、筒部１６の中心軸方向に集まるように吹き出すので、筒部１６の第１の開口部１７から吹き出される送風範囲より、筒部１６の第１の開口部１７から吹き出される送風範囲は小さくなる。
【００２７】
ここで、空気の流れにおける上流側から下流側への開口寸法の減少割合は、垂直方向の開口寸法の減少割合が、水平方向の開口寸法に減少割合に比べて大きいものである。つまり、冷風感調整手段１５を装着することによって吹き出される、空気の流れに対する垂直断面形状は、横長四角形状であると共に、空気の流れにおける上流側から下流側への開口寸法の減少割合は、垂直方向の開口寸法が水平方向の開口寸法に比べて大きいものである。
【００２８】
これにより、パーソナル空間を加湿する場合には、人に対して直接加湿空気を送風するので、第１の冷風感で冷風感を感じた場合には、筒部１６を吹出口１から外して使用すると、風向変更手段１９から吹き出される送風範囲は、筒部１６の第２の開口部１８から吹き出される送風範囲に比べ、水平方向より垂直方向へ広がる割合が大きくなる。つまり、パーソナル空間を加湿する場合には、人の近くで加湿し、人に対して直接加湿空気を送風するが、第１の冷風感で冷風感を感じた場合には、人の体の一部に集中するのではなく、体全体に送風範囲を広げられる。特に、机の上に加湿機を置き、座っている人の顔に向けて直接加湿空気を送風している場合には、垂直方向に送風範囲が広がることで、上半身全体に送風範囲が広がり、パーソナル空間での加湿空気の風速は低減し、冷風感は低減すると共に、加湿風量が増加するので、加湿量の低下を抑制することができるものである。
【産業上の利用可能性】
【００２９】
以上のように本発明は、吸気口と吹出口とを有する本体ケースと、この本体ケース内で、前記吸気口から前記吹出口に送風される送風路に送風手段と加湿手段とを設け、前記吹出口には、風向を変更する風向変更手段を備え、この風向変更手段には冷風感調整手段を設け、この冷風感調整手段は、第１の冷風感と第２の冷風感とに調整可能な構成とし、前記第１の冷風感は、第１の風速で第１の加湿量を有し、前記第２の冷風感は、第２の風速で第２の加湿量を有し、前記第２の風速は前記第１の風速より遅く、前記第２の加湿量は前記第１の加湿量より大きいものである。
【００３０】
すなわち、第１の冷風感で冷風感を感じた場合には、冷風感調整手段によって、第２の冷風感に切り替えることにより、第２の風速は第１の風速より遅く、第２の加湿量は第１の加湿量より大きくなるので、加湿空気の風速が低減するので冷風感は低減すると共に、加湿風量が増加するので、加湿量の低下を抑制することができるものである。
【００３１】
従って、家庭用や事務所用などの、加湿機として活用が期待されるものである。
【符号の説明】
【００３２】
１    吹出口
２    吸気口
３    本体ケース
４    送風路
５    送風手段
６    ケーシング
７    電動機
８    シロッコファン
９    吸込口
１０  吐出口
１１  加湿手段
１２  貯水容器
１３  加湿フィルター
１４  給水タンク
１５  冷風感調整手段
１６  筒部
１７  第１の開口部
１８  第２の開口部
１９  風向変更手段
２０  第１の水平板
２１  第２の水平板
２２  背面板
２３  連結板
２４  軸部
２５  上面部
２６  下面部
２７  左面部
２８  右面部
【図１】
2013036690.tif 000003
【図２】
2013036690.tif 000004
【図３】
2013036690.tif 000005
【図４】
2013036690.tif 000006
【図５】
2013036690.tif 000007